【手続補正書】
【提出日】平成18年11月24日(2006.11.24)
【手続補正１】
【補正対象書類名】明細書
【補正対象項目名】特許請求の範囲
【補正方法】変更
【補正の内容】
【特許請求の範囲】
【請求項１】
（イ）一方の被緊締体に固定される支持部材と、
（ロ）他方の被緊締体に固定されるベース部材と、
（ハ）基端部が第１回動軸を介して上記ベース部材に回動可能に連結された断面略コ字形の操作レバーと、
（ニ）一端部が第２回動軸を介して上記支持部材に回動可能に連結され、他端部が第３回動軸を介して上記操作レバーの基端部に回動可能に連結されたアームと、
（ホ）ロック機構と、
を備え、上記操作レバーの回動に伴い、上記第３回動軸が上記第１，第２回動軸と一直線上に位置するデッドポイントを超え、上記操作レバーが上記ベース部材に重なる位置に達するようにし、この重合位置で操作レバーを上記ロック機構によりロックするようにした締付装置において、
上記ロック機構は、上記ベース部材に設けられた係止爪と、上記操作レバーの両側壁間に掛け渡され係止爪への係合位置と係止爪から離れた係合解除位置との間で移動可能なロックピンと、操作レバー内に収容されロックピンを上記係止爪に向かって付勢してロックピンの係止爪への係合位置を維持するピン付勢手段とを含むことを特徴とするロック機構付き締付装置。
【請求項２】
上記アームは第２，第３回動軸を互いに近づけるように付勢する回動軸付勢手段を含み、上記操作レバーはこの回動軸付勢手段により、上記第３回動軸がデッドポイントにある位置から遠ざかる方向に回動付勢されることを特徴とする請求項１に記載のロック機構付き締付装置。
【請求項３】
上記第１回動軸と第２回動軸との間には、これら第１，第２回動軸を互いに遠ざける方向に付勢する回動軸付勢手段が配置され、上記操作レバーはこの回動軸付勢手段により、上記第３回動軸がデッドポイントにある位置から遠ざかる方向に回動付勢されることを特徴とする請求項１に記載のロック機構付き締付装置。
【請求項４】
上記ロックピンの一端部は、上記操作レバーの一方の側壁の支持穴に遊びをもって貫通することにより回動可能に支持され、ロックピンの他端部は操作レバーの他方の側壁の長穴を貫通して操作レバーの外に突出するつまみ部となり、上記係止爪は操作レバー内において操作レバーの他の側壁に近接して配置され、上記ロックピンのつまみ部が長穴に沿って、係止爪への係合位置と係止爪から離れた係合解除位置との間で移動可能となっていることを特徴とする請求項１〜３のいずれかに記載のロック機構付き締付装置。
【請求項５】
上記係止爪は上記第３回動軸の反対側に突出し、上記ピン付勢手段は引張コイルバネからなり、その一端が上記ロックピンに掛けられ、他端が操作レバーに設けられた引掛部に掛けられ、この引掛部はロックピンより操作レバーの基端部側に配置され、この引張コイルバネによりロックピンが第３回動軸に向かって付勢されていることを特徴とする請求項１〜４のいずれかに記載のロック機構付き締付装置。
【請求項６】
上記第３回動軸が上記引掛部として提供されることを特徴とする請求項５に記載のロック機構付き締付装置。
【手続補正２】
【補正対象書類名】明細書
【補正対象項目名】０００２
【補正方法】変更
【補正の内容】
【０００２】
【従来の技術】
実開昭６１−２０８７３号公報に開示された締付装置は、一方の被緊締体に固定された支持金具と、他方の被緊締体に固定されたベース金具と、基端部が第１回動軸を介してベース金具に回動可能に連結された断面略コ字形の操作レバーと、一端部が第２回動軸を介して支持金具に着脱可能かつ回動可能に連結され他端部が第３回動軸を介して上記操作レバーの基端部に回動可能に連結されたアームとを備えている。上記アームは、一端に係止部を有する２つの細長いアーム片と圧縮コイルバネとを含む組立体からなり、第２，第３回動軸を互いに近づける方向に付勢している。
【手続補正３】
【補正対象書類名】明細書
【補正対象項目名】０００４
【補正方法】変更
【補正の内容】
【０００４】
上記ロック機構について説明する。操作レバーの一方の側壁には切欠が形成され、この切欠の周縁の一部が係止爪として提供されている。ベース金具には、２つの支持片が切り起こされており、両支持片間にロックピンが掛け渡されている。ロックピンの一端部は、一方の支持片の支持穴に遊びをもって挿入されることにより回動可能に支持され、ロックピンの他端部は他方の支持片の長穴を貫通してつまみ部となっている。
【手続補正４】
【補正対象書類名】明細書
【補正対象項目名】００１０
【補正方法】変更
【補正の内容】
【００１０】
一態様として、上記アームは第２，第３回動軸を互いに近づけるように付勢する回動軸付勢手段を含み、上記操作レバーはこの回動軸付勢手段により、上記第３回動軸がデッドポイントにある位置から遠ざかる方向に回動付勢される。これにより、アームの回動軸付勢手段で操作レバーを回動させることができるので操作性が良い。
【手続補正５】
【補正対象書類名】明細書
【補正対象項目名】００１１
【補正方法】変更
【補正の内容】
【００１１】
他の態様として、上記第１回動軸と第２回動軸との間には、これら第１，第２回動軸を互いに遠ざける方向に付勢する回動軸付勢手段が配置され、上記操作レバーはこの回動軸付勢手段により、上記第３回動軸がデッドポイントにある位置から遠ざかる方向に回動付勢される。これにより、回動軸付勢手段で操作レバーを回動させることができるので操作性が良い。
【手続補正６】
【補正対象書類名】明細書
【補正対象項目名】００１２
【補正方法】変更
【補正の内容】
【００１２】
好ましくは、上記ロックピンの一端部は、上記操作レバーの一方の側壁の支持穴に遊びをもって貫通することにより回動可能に支持され、ロックピンの他端部は操作レバーの他方の側壁の長穴を貫通して操作レバーの外に突出するつまみ部となり、上記係止爪は操作レバー内において操作レバーの他の側壁に近接して配置され、上記ロックピンのつまみ部が長穴に沿って、係止爪への係合位置と係止爪から離れた係合解除位置との間で移動可能となっている。この構成によれば、ロックピンの操作レバーへの取付構造を簡単にすることができる。
【手続補正７】
【補正対象書類名】明細書
【補正対象項目名】００１３
【補正方法】変更
【補正の内容】
【００１３】
好ましくは、上記係止爪は上記第３回動軸の反対側に突出し、上記ピン付勢手段は引張コイルバネからなり、その一端が上記ロックピンに掛けられ、他端が操作レバーに設けられた引掛部に掛けられ、この引掛部はロックピンより操作レバーの基端部側に配置され、この引張コイルバネによりロックピンが第３回動軸に向かって付勢されている。この構成によれば、ピン付勢手段としての引張コイルバネをロックピンと第３回動軸との間に配置するので、操作レバーおよびベース部材を小形にすることができる。
【手続補正８】
【補正対象書類名】明細書
【補正対象項目名】００２５
【補正方法】変更
【補正の内容】
【００２５】
上記締付装置Ｂの作用について、主に図７〜図９を参照しながら説明する。蓋２が閉じた状態において、図７に示すように操作レバー２０がベース金具１０に対して開き、アーム４０が支持金具５から離れた状態にある。まず、操作レバー２０を第１回動軸３１を中心にして時計回り方向に回しながら、第２回動軸３２を支持金具５のフック部５ａに引掛ける。これにより、アーム４０は第２回動軸３２を中心として支持金具５に回動可能に連結されることになる。
【手続補正９】
【補正対象書類名】明細書
【補正対象項目名】００３３
【補正方法】変更
【補正の内容】
【００３３】
操作レバー２０がベース金具１０から離れた状態において、引張コイルバネ５５は断面コ字形をなす操作レバー２０内に収容されているので、誤って人手に触れて破損したり外れたりするのを防止することができる。
【手続補正１０】
【補正対象書類名】明細書
【補正対象項目名】００３７
【補正方法】変更
【補正の内容】
【００３７】
第１回動軸３１と第２回動軸３２との間には圧縮コイルバネ８０（回動軸付勢手段）が介在されており、両回動軸３１，３２を互いに遠ざけるように付勢している。この圧縮コイルバネ８０は、円筒形状の保護筒８１に収容されている。この保護筒８１の一端部（蓋閉じ状態の上端部）には第１回動軸３１が貫通している。図１５に最も良く示されているように、保護筒８１の他端部には第２回動軸３２を貫通させるスリット８１ａが形成されている。これにより、保護筒８１は回動軸３１，３２の相対移動を許容しながらこれら回動軸３１，３２間に支持されている。
【手続補正１１】
【補正対象書類名】明細書
【補正対象項目名】００３８
【補正方法】変更
【補正の内容】
【００３８】
締付装置Ａでは、ベース金具１０に本ロック片が形成されていない。その代わりに、図１３〜図１５に示すように操作アーム２０において仮ロック片１４の反対側の側壁２２には、支持穴２２ｘの近傍にロック穴２５が形成されている。このロック穴２５と長穴２２ｙの左上の端部（ロックピン５１の係合解除位置に対応する端部）とを結ぶ線は操作レバー２０の長手方向と直交している。このロック穴２５と長穴２２ｙの左上の端部とに本ロック部材９０（図１にのみ示す）を貫通させることにより、ロックピン５１の係合解除位置への移動が禁じられ、本ロックがなされる。
【手続補正１２】
【補正対象書類名】明細書
【補正対象項目名】００３９
【補正方法】変更
【補正の内容】
【００３９】
上記締付装置Ａの作用を図１３〜図１５を参照しながら説明する。蓋２は第２回動軸３２を中心として、図１３の開き状態から図１４の閉じ位置まで回動する。図１４の状態では蓋２はケーシング１から浮いており、この浮き状態は圧縮コイルバネ８０の弾性力で維持される。この状態で、操作レバー２０を圧縮コイルバネ８０に抗して反時計回りに回動すると、３つの回動軸３１，３２，３３が一直線上に位置するデットポイントに達する。この過程において、アーム７０が操作レバー２０に追随して反時計回りに回動してほぼ起立状態となるが、アーム７０の長さが殆ど変わらないため、第１回動軸３１が下降することになり、これに追随して蓋２が下降してシール部材３に押し当てられる。このように蓋２は、閉じ動作に際してシール部材３に触れず、操作レバー２０の回動に伴って下降してシール部材３に押し当てられるので、シール部材３をよじることなく良好に圧縮変形させることができ、シール性を高めることができる